(57)【特許請求の範囲】
【請求項１】
天井裏の給水配管に接続されるスプリンクラーヘッド本体と、スプリンクラーヘッド本体の外側に設置された筒部材とを備えるスプリンクラーヘッドに着脱可能として設置されるスプリンクラーヘッド用の保護キャップであって、
スプリンクラーヘッド本体を内部に収容する内筒と、
内筒の外側に設置されており筒部材に嵌合する外筒と、
内筒と外筒とを繋ぐとともに前記保護キャップを取外す保護キャップ取外し工具が係合する複数の連結部と、を備えることを特徴とするスプリンクラーヘッド用の保護キャップ。
【請求項２】
連結部は、内筒と外筒とをそれらの径方向で繋ぐ底面を有する請求項１記載のスプリンクラーヘッド用の保護キャップ。
【請求項３】
隣接する連結部の間には、前記保護キャップの一端側から他端側まで貫通する貫通空間を有する請求項１または請求項２記載のスプリンクラーヘッド用の保護キャップ。
【請求項４】
外筒は、スプリンクラーヘッドの筒部材の外径以上の外径を有する拡張部を有する請求項１〜請求項３何れか１項記載のスプリンクラーヘッド用の保護キャップ。
【請求項５】
拡張部は、その外周面に螺旋溝を有する請求項４記載のスプリンクラーヘッド用の保護キャップ。
【請求項６】
請求項１〜請求項５に記載の前記保護キャップを取外すための保護キャップ取外し工具であって、
前記保護キャップの内筒と外筒の間に挿通可能な筒状の本体と、
本体の一端側に設けられ、前記保護キャップの連結部と係合する爪と、
爪と本体の一端側との間に設けられ、前記保護キャップの連結部と当接して隣接する連結部の間に爪の移動を誘導する斜面部と、
本体の他端側に設けた把持部と、を有する保護キャップ取外し工具。
【請求項７】
爪は、連結部の底面と係合する第一の係合部と、連結部の底面の端と係合する第二の係合部とを有する請求項６記載の保護キャップ取外し工具。
【請求項８】
本体は、前記保護キャップと保護キャップ取外し工具が所定位置まで嵌通可能とするストッパーを有する請求項６または請求項７記載の保護キャップ取外し工具。
【請求項９】
本体又は把持部が皿状または腕状の剥片収容部を有する請求項６〜請求項８何れか１項記載の保護キャップ取外し工具。
【発明の詳細な説明】
【技術分野】
【０００１】
本発明は、消火用のスプリンクラーヘッドに関するものであり、スプリンクラーヘッドの輸送時や施工途中の段階でスプリンクラーヘッドを外力から保護する保護キャップと、該保護キャップを取外す工具に関する。
【背景技術】
【０００２】
スプリンクラーヘッドは、建物内の天井面や壁面に設置され、一端に給水源に続いた配管と接続可能なノズルを有し、他端には感熱作動部が設けられている。平時において感熱作動部はノズルを閉止する弁体を支持している。
【０００３】
上記スプリンクラーヘッドの一例として、特許文献１に記載されたスプリンクラーヘッドは天井面や壁面に埋め込まれた状態で設置され、スプリンクラーヘッドをカバープレートで覆い隠したコンシールド型スプリンクラーヘッドがある。コンシールド型スプリンクラーヘッドは、意匠性に優れたスプリンクラーヘッドとして用いられている。
【０００４】
図１２に示すスプリンクラーヘッドはスプリンクラーヘッドＳＨの外側に筒部材Ａが設けられ、該筒部材Ａの下部には、カバープレートＰが低融点合金により接合されている筒状のリテーナーＢが接続可能となっている。
【０００５】
筒部材ＡとリテーナーＢの接続部の構造として、筒部材Ａの下部に刻設された螺旋溝Ａ１と、リテーナーＢの外周面に突設された突起Ｂ１とが螺合可能に構成されている。
【０００６】
リテーナーＢを筒部材Ａに接続させると、スプリンクラーヘッドＳＨや筒部材Ａ、リテーナーＢは天井裏に配置され、カバープレートＰだけが天井Ｃに近接して配置される。カバープレートＰは低融点合金によりリテーナーＢと接続されていることから火災時の熱により落下する。カバープレートＰの落下によりスプリンクラーヘッドＳＨが露出される。
【０００７】
火災時にスプリンクラーヘッドＳＨが露出されると、続いてスプリンクラーヘッドＳＨの感熱作動部Ｇが作動・破壊し、スプリンクラーヘッドＳＨ内部の弁体を開放することでスプリンクラーヘッドＳＨから水が散布されて火災を消し止めるものである。
【０００８】
【特許文献１】国際公開第２０１０／０３８２５３  号
【発明の開示】
【発明が解決しようとする課題】
【０００９】
上記のコンシールド型スプリンクラーヘッドは、図１２に示すように輸送時や施工時に外的衝撃による変形や破損を防ぐために筒状の保護キャップＤが筒部材内周面に嵌め込まれている。保護キャップＤは上記の外的衝撃によって容易に外れないように筒部材Ａ内にきつく嵌合されている。
【００１０】
スプリンクラーヘッドＳＨは、フレームＦと配管接続ネジ部Ｔの間に締結工具が係合される係合部Ｋを有しており、スプリンクラーヘッドＳＨを配管に取付ける際には、保護キャップＤを筒部材Ａから取り外して、筒部材Ａ内のスプリンクラーヘッドＳＨの前記係合部Ｋを、締結工具により把持し、スプリンクラーヘッドＳＨのネジ部Ｔを配管側のネジ部に螺合させる。
【００１１】
配管との接続が終了したら、天井ボードの施工時にスプリンクラーヘッドＳＨを外力から保護するために、再び保護キャップＤを筒部材Ａに嵌入させる。天井ボードの施工が終了したら、保護キャップＤを外してカバープレートＰが設置されたリテーナーＢを筒部材Ａに取付ける。するとカバープレートＰによって筒部材Ａ内のスプリンクラーヘッドＳＨが隠蔽された状態に施工される。
【００１２】
従って上記のコンシールドヘッドでは、保護キャップＤの取外しを２回行なっており、作業者においては保護キャップＤの取付け、取外しが頻雑であった。また保護キャップＤを取外しする際に、筒部材Ａと保護キャップＤがきつく嵌合されているので保護キャップＤの取外し作業がスムーズに行われず手間がかかるものとなっていた。
【００１３】
また、図１２に示すようにリテーナーＢが挿通される穴Ｈを天井Ｃに穿設したときに、穴Ｈを大きくあけすぎてしまった場合、穴Ｈの縁をパテ１００で埋めることがある。そのとき保護キャップＤの外周面にまでパテ１００が付着すると、パテ１００と保護キャップＤが固着してしまうおそれがあり、この場合保護キャップＤを筒部材Ａから引き抜きにくくなる。
【００１４】
そこで本発明では、上記問題に鑑み、保護キャップがスプリンクラーヘッドの筒部材にきつく嵌合されている場合や、保護キャップの外面に天井穴の補修に使用したパテが付着している場合においても保護キャップを容易に取外すことが可能な保護キャップおよび保護キャップ取外し工具を提供することを目的としている。
【課題を解決するための手段】
【００１５】
上記の目的を達成するために、本発明は以下のスプリンクラーヘッド用保護キャップおよび該保護キャップ取外し工具を提供する。
給水配管に接続されるスプリンクラーヘッド本体の外部に設置された有底円筒形状の筒部材に嵌合されている保護キャップを取外すための工具であり、工具の本体は筒状をした保護キャップの内側に嵌通され、本体の一端側には保護キャップの内側に形成された工具係止部と係合可能な爪を有しており、本体の外周部が保護キャップの内側部に沿って移動可能であり本体の他端側は把持部となっている保護キャップ取外し工具である。
これによれば、保護キャップ取外し工具（以下、「工具」とする）を使わない場合と比較して作業者の負担を大幅に低減することができる。具体的に説明すると、工具を使わない場合、作業者は天井に穿設された穴から突出している保護キャップに手を伸ばして保護キャップを掴み、スプリンクラーヘッドから保護キャップを取外すという一連の動作を行うが、工具を使うことで作業者は天井付近まで手を伸ばす必要がなく、工具を操作して保護キャップと工具を係合させて工具を下方に引くことでスプリンクラーヘッドから保護キャップを取外すことが可能となり、作業者の負担が大幅に低減される。従ってスプリンクラーヘッドの筒部材に保護キャップがきつく嵌合されていた場合でも、工具を使用することで保護キャップをスプリンクラーヘッドから容易に取外すことができる。
また、保護キャップの工具係合部が保護キャップの内側に形成されており、工具の本体に形成された爪を前述の工具係合部に係合可能としたことで、保護キャップの外側面にパテが付着している場合においても保護キャップの工具係合部と工具の爪を係合させることができる。保護キャップと工具の本体は供回り可能に係合しており、保護キャップの外側面にパテが付着している場合には、工具を回転させると保護キャップも供回りするので保護キャップの外側面に付着したパテを引き剥がすことができる。係合を解除する場合は前述の回転方向とは逆に回転させる。これにより係合・係合解除を簡易な操作で行うことができる。
さらに、工具の本体の外周部が保護キャップの内側部に沿って移動可能としたことで工具を保護キャップ内に同軸状態で嵌通・係止させることができ、保護キャップの工具係合部に工具の爪を係合させた状態で工具を回転させたり工具を下方へ引いた際に工具と保護キャップの外れを防止できるように構成している。
【００１６】
前記工具については、本体には保護キャップをスプリンクラーヘッドから引き抜く方向に係合する爪が第一の係合部として形成されており、第一の係合部とは別に保護キャップと工具を供回り可能に係合する第二の係合部が形成されている。これによれば、工具の本体上に第一の係合部である爪とは別な位置に第二の係合部を形成することが可能となる。
【００１７】
前記工具については、爪は本体の外周部に設置され、工具係合部は保護キャップの内周部に設置して構成可能である。これによれば工具および保護キャップを回転させるときに少ないトルクで回転させることができ、作業者の負担を軽減することができる。
【００１８】
前記工具については、本体には爪を保護キャップの工具係合部に導くガイド部を設置して構成可能である。
これによれば、工具の本体を保護キャップの内側に嵌通する際に、工具のガイド部が保護キャップ内側に形成されたガイド部との当接部に沿って移動することで爪が工具係止部に導かれて工具係止部と係合することができる。
【００１９】
前記工具については、本体には保護キャップと工具が所定位置まで嵌通可能とするストッパーを設けて構成可能である。
これによれば、保護キャップ内に収容されているスプリンクラーヘッド構成部品と工具が干渉することを防止できる。
【００２０】
前記工具については、本体または把持部に剥片収容部を設けて構成可能である。
これによれば、保護キャップと工具を係合させた状態で保護キャップと工具を供回りさせた際に、保護キャップの外側面に付着していたパテが剥れ落ちて床面を汚す可能性があることから、剥片収容部にパテの剥片を収容させて床面への落下を防止することができる。
【００２１】
また本発明は、前記何れかの本発明による工具と係合可能な保護キャップを提供する。すなわち保護キャップは筒状でありその内側には工具の爪と係合可能な工具係合部が設置されており、爪を工具係合部まで挿通させるための空間を形成して構成可能である。
これによれば、空間を形成したことで保護キャップの内側に設置された工具係合部に工具の爪を係合させることができるので、保護キャップとスプリンクラーヘッドの筒部材の嵌合がきつい場合であっても工具を使用することによって保護キャップを取外すことができる。従って保護キャップとスプリンクラーヘッドの筒部材の嵌合をきつくすることでスプリンクラーヘッドが外的衝撃を受けた際にその衝撃によって保護キャップが外れてしまうことを防止できる。
【００２２】
前記保護キャップについては、保護キャップの外側面に螺旋溝を形成して構成可能である。これによれば保護キャップをスプリンクラーヘッドから取外す際に保護キャップの外側面にパテが固着していても、工具と保護キャップを供回りさせることで保護キャップの外側面からパテを引き剥がすことができる。また工具と保護キャップを供回りさせると螺旋溝に沿って保護キャップが回転し、固まったパテ側の螺旋溝に沿って保護キャップが回転しながら下方へ移動して保護キャップをスプリンクラーヘッドから取外すことができる。
【発明の効果】
【００２３】
以上説明したように本発明によれば、保護キャップがスプリンクラーヘッドの筒部材にきつく嵌合されている場合や、保護キャップの外面に天井穴の補修に使用したパテが付着している場合においても保護キャップを容易に取外すことが可能な保護キャップおよび保護キャップ取外し工具を提供することができる。
【図面の簡単な説明】
【００２４】
【図１】第１実施形態のスプリンクラーヘッドおよび保護キャップの断面図
【図２】図１のスプリンクラーヘッドにカバープレートユニットを取付けた断面図
【図３】図１のＹ−Ｙ断面図（筒部材の一部を断面図示）
【図４】スプリンクラーヘッド、保護キャップ、カバープレートユニットの分解断面図
【図５】保護キャップの斜視図（外筒部の一部を除いた図）
【図６】保護キャップの底面図
【図７】保護キャップ取外し工具の斜視図
【図８】保護キャップ取外し工具の断面図
【図９】保護キャップに保護キャップ取外し工具を係合する手順の説明図
【図１０】（ａ）：第２実施形態の保護キャップの断面図、（ｂ）：（ａ）の保護キャップの底面図
【図１１】第３実施形態の保護キャップの断面図（スプリンクラーヘッド設置状態）
【図１２】従来の保護キャップの断面図（スプリンクラーヘッド設置状態）
【発明を実施するための最良の形態】
【００２５】
第１実施形態（図１〜図９）
第１実施形態の保護キャップおよび保護キャップ取外し工具は、国際公開第２０１１／１２５１６９号に記載されているスプリンクラーヘッドと略同じ構成のスプリンクラーヘッドに適用される。ここでは本発明に関する部分のみを説明し、その他の部分については説明を省略する。
【００２６】
図１に示すスプリンクラーヘッドＳＨは本体１、筒部材２、カバープレートユニット３、保護キャップ４から構成されており、スプリンクラーヘッドＳＨの筒部材２内に保護キャップ４が挿通されている。保護キャップ４は筒状をしており、本体１を内部に収容して外的衝撃から保護する内筒４１と、筒部材２と嵌合される外筒４２から構成される。
【００２７】
内筒４１は、内部に本体１およびデフレクター６を収容する。内筒４１の底面４１Ａには水抜き穴４３が穿設されており、水抜き穴４３は内筒４１の側面４１Ｂから底面４１Ａまでを切欠いて立体的に形成されている。これにより水の表面張力を抑えて水抜き性を良好にしている。水抜き性をさらに良好にするために、図４にて点線で示すように底面４１Ａの形状を水抜き穴４３に向かって下り勾配となる斜面として形成することも可能である。
【００２８】
底面４１Ａの外部には、保護キャップ４を本体１に着脱操作可能な把持部４４が形成されている。把持部４４は三又形状をしており、その下端は外筒４２の下端よりも突出している。
【００２９】
底面４１Ａと反対側の端には内筒４１から図中上方に延出して形成した舌状部４５が形成されている。舌状部４５は筒部材２の上部端面２１に形成された開口２Ｃ内に差し込まれ、外筒４２の端面よりも外側に突出している。本実施形態では６つの開口２Ｃ毎に舌状部４５が挿通されており、その形状は板状で平面形状は略三角形であり斜面４５Ａを有する。舌状部４５は本体１に対して保護キャップ４の装着位置を位置決めする位置決め係合部の作用を有する。
【００３０】
より具体的に説明すると、舌状部４５、４５の間には内筒４１と外筒４２とを接続する連結部４６が形成されており、舌状部４５を筒部材２の開口２Ｃから突出させて挿通すると、図４に示すように連結部４６と梁部２Ｆ、サポートベース２３が重なるように配置される。前述の斜面４５Ａは、図１の状態において保護キャップ４を筒部材２から取外す際に、後述する取外し工具８と保護キャップ４を係合させて回転させた場合、筒部材２の開口２Ｃの縁に舌状部４５の斜面４５Ａが当たった際に、斜面４５Ａに沿って保護キャップ４を下方へ移動させることができる。
【００３１】
連結部４６は、側面４６Ａと底面４６Ｂを有しており、この側面４６Ａと底面４６Ｂによって内筒４１と外筒４２とが連結される。図４、図５において側面４６Ａは一つの底面４６Ｂに対して１箇所形成される。底面４６Ｂは本発明における工具係合部に相当する。
【００３２】
上記の連結部４６の側面４６Ａおよび底面４６Ｂは、後述する保護キャップ取外し工具８（以下、「取外し工具８」とする）を工具係合部である底面４６Ｂまで導く作用を有する。より具体的に説明すると、取外し工具８の爪８１の近傍に形成されたガイド部である斜面部８２を側面４６Ａと底面４６Ｂの境のコーナー部に接触させながら保護キャップ４の奥（図中上方）へ移動させると、爪８１が斜面部８２が接している連結部４６の隣の連結部４６の底面４６Ｂに導かれて係合される。
【００３３】
連結部４６は内筒４１と外筒４２を接続するために形成されており、内筒４１と外筒４２の間の空間を全て埋めるように連結部４６を形成することもできるが、こうすると内筒４１に対して外筒４２が変形しにくくなり、筒部材２から保護キャップ４を取外しにくくなる。内筒４１と外筒４２の間に保護キャップ４の一端側から他端側まで貫通可能な貫通空間が形成されるように連結部４６を部分的に形成すると、この貫通空間により外筒４２が内筒４１側に変形しやすくなり、これにより外筒４２が内筒側へ柔軟に変形することで筒部材２から保護キャップ４を取外し易くなる。
【００３４】
外筒４２の外径は、筒部材２の内径寸法と略同じか僅かに小径に形成されており、筒部材２と嵌合可能である。外筒４２を筒部材２と嵌合させることで筒部材２の内周部に天井塗装時の塗料の付着を防止することができる。外筒４２は保護キャップ４が筒部材２に係合されている状態のときに、筒部材２の螺旋溝２Ｄを覆うように構成する。
【００３５】
外筒４２の下部には、内筒４１の底面４１Ａ付近に筒部材２の外径と略同じかそれよりも大径をした拡張部４７が形成されている。拡張部４７と外筒４２の境は段４７Ａとなっており、段４７Ａには筒部材２の下端が当接される。これにより、天井Ｃに穿設されたスプリンクラーヘッドＳＨが挿通される穴Ｈの周縁をパテで埋める際には、拡張部４７の外周部と穴Ｈの内周部の間がパテによって埋められ、筒部材２の内部にパテの侵入や付着を防止することができる。
【００３６】
取外し工具８の本体８０は図７に示すように筒状をしており内部に保護キャップ４の内筒４１を収容可能である。本体８０の外周径は保護キャップ４の外筒４２の内周部の径よりも僅かに小径となっており、本体８０を保護キャップ４内に挿通した状態において取外し工具８と保護キャップ４は略同軸状態となる。また本体８０は保護キャップ４の内筒４１と外筒４２の間の空間を移動可能である。
【００３７】
本体８０の一端側には保護キャップ４の連結部４６の底面４６Ｂと係合可能な爪８１が形成されている。爪８１には底面４６Ｂと平行に接する第一の係合部８１Ａが形成されており、第一の係合部８１Ａから略垂直に下方へ形成された第二の係合部８１Ｂは底面４６Ｂの端面と当接可能である。これにより爪８１が底面４６と係合した状態において、第一の係合部８１Ａが底面４６Ｂと接触して係合しているので取外し工具８を図中下方に引くと保護キャップ４を筒部材２から引き抜くことができる。また第二の係合部８１Ｂが底面４６Ｂの端面と当接しているので取外し工具８０を図中左方向に回転させると、第二の係合部８１Ｂと底面４６Ｂの端面が係合して保護キャップ４と取外し工具８０が供回りすることができる。
【００３８】
爪８１の近傍にはガイド部として斜面部８２が形成されている。前述のように本体８０を保護キャップ４の下端から挿通させると、斜面部８２が連結部４６の側面４６Ａと底面４６Ｂの間のコーナー部に接触しながら保護キャップ４の奥（図中上方）へ移動して、爪８１が斜面部８２が接している連結部４６の隣の連結部４６の底面４６Ｂに導かれて係合させることができる。
【００３９】
本体８０の爪８１が形成された側と反対の端には把持部８３を接続するための開口８４が形成されている。把持部８３は棒状をしており開口８４に挿通させた後、本体８０の側面から把持部８３に向かってタッピングネジ８５を螺入させることで把持部８３を本体８０に固定接続できる。把持部８３を設置することで作業者が脚立や足場を使わずに床面上からスプリンクラーヘッドＳＨに設置された保護キャップ４を取外すことができる。
【００４０】
本体８０の内部には隔壁８６が形成されており、把持部８３の端面を隔壁８６に当たり止めさせることができる。
【００４１】
次に取外し工具８を用いてスプリンクラーヘッドＳＨに設置されている保護キャップ４を取外す手順を説明する。
【００４２】
保護キャップ４は図１に示すようにスプリンクラーヘッドＳＨの筒部材２の内部に嵌合している。図中点線で示すように保護キャップ４の外側面と天井ボードＣの穴Ｈの間はパテ１００で埋められており、パテ１００が保護キャップ４の外側面に固着した状態にある。
まず取外し工具８の爪８１を保護キャップ４の下方から内筒４１と外筒４２の間の空間に挿通させる。すると爪８１の近傍に形成された斜面部８２が保護キャップ４の連結部４６、より具体的には連結部４６の側面４６Ａと底面４６Ｂの間のコーナー部に当たり、さらに取外し工具８を保護キャップ４の奥（図中上方）に挿通させると、前述のコーナー部に沿って斜面部８２が移動して斜面部８２の近傍に形成された爪８１が斜面部８２と接しているコーナー部を有する連結部４６の隣の連結部４６の底面４６Ｂに係合される。
【００４３】
このとき爪８１の第一の係合面８１Ａは連結部４６の底面４６Ｂと平行に係合し、第二の係合面８１Ｂは底面４６Ｂの端面に当接する。ここで取外し工具８を第二の係合面８１Ｂが底面４６Ｂの端面を押す方向へ回転させると、取外し工具８と保護キャップ４は供回りして回転させ、保護キャップ４の外側面に固着しているパテ１００を引き剥がす。
【００４４】
次に取外し工具８を下方へ引き、保護キャップ４を筒部材２から引き抜いて取外す。この後、カバープレートユニット３を筒部材２に取付ける。
【００４５】
第１実施形態の変形例１（図８）
上記に説明した第１実施形態の取外し工具８の変形例として、パテ１００を保護キャップ４から引き剥がした際の剥離片を収容可能な剥片収容部８７を本体８０または把持部８３に設置したものである。剥片収容部８７を設置したことによりパテ１００の剥離片が床面に落下して床面を汚すことを防止できる。剥片収容部８６は皿状または椀状をしており、透明な材質から形成するのが好ましい。これにより作業者が把持部８３を持って保護キャップ４に爪８１を係合させるときに保護キャップ４と爪８１と位置を把握しやすくなる。
【００４６】
第１実施形態の変形例２（図９）
また、図９に二点鎖線で示す変形例は、取外し工具８の本体８０の外周面に保護キャップ４の下端と係合するストッパー８８を形成したものである。ストッパー８８は本体８０の外周面にフランジ状に形成されている。この代わりに数箇所に突起を形成して構成することも可能である。また保護キャップ４の内側にストッパー８８と同様の作用をする突起を形成することも可能である。
【００４７】
第２実施形態（図１０）
続いて第２実施形態について説明する。第２実施形態における第１実施形態との差異点は、保護キャップの形状が異なることである。尚、第１実施形態と構成が同じ箇所には同符号を付して詳細な説明は省略する。
【００４８】
第２実施形態では保護キャップ９０における取外し工具８との工具係合部が保護キャップ９０の下端に形成されていることである。図１０に示す保護キャップ９０は筒状をしており保護キャップ９外周部はスプリンクラーヘッドＳＨの筒部材２の内部に嵌合可能である。保護キャップ９０は内部に隔壁９１が形成されており、隔壁９１より上方の内部には本体１およびデフレクター６が収容される。隔壁９１より下方の内側に工具係合部である２つの突起９２、９２が形成されている。
【００４９】
突起９２、９２は保護キャップ９０の下端に形成されており保護キャップ９０の中心軸方向に突出している。突起９２の上面９２Ａは取外し工具８の爪８１の第一の係合部８１Ａと平行に係合される。突起９２の側面９２Ｂは第二の係合部８１Ｂと係合可能である。本体８０の外周径は保護キャップ９の隔壁９１より下方の内周径よりも僅かに小径であり、本体８０の爪８１を保護キャップ９の隔壁９１より下方の内周部に挿通させたとき、保護キャップ９と取外し工具８は略同軸状態となる。
【００５０】
保護キャップ９０の突起９２に取外し工具８の爪８１を係合させるとき、突起９２が保護キャップ９の下端に形成されているので作業者が突起９２を認識しやすく、第１実施形態のように斜面部８２が無くても容易に突起９２に爪８１を係合させることができる。また隔壁９１はストッパーの作用を有しており、隔壁９１によって爪８１が保護キャップ９０の上方に収容されている本体１やデフレクター６と干渉するのを防止している。
【００５１】
保護キャップ９０に取外し工具８を係合させる場合、保護キャップ９０の下方の内側へ爪８１を挿通させる。そのとき爪８１は突起９２を避けて保護キャップ９０内に挿通させる。爪８１は隔壁９１により当たり止めされ、これよりも上方へ移動することが阻止されている。取外し工具８を回転させて爪８１の第一の係合部８１Ａを突起９２の上面９２Ａと平行になるように係合する。また第二の係合部８１Ｂは突起９２の側面９２Ｂと当接させる。ここで取外し工具８の第二の係合面８１Ｂが側面９２Ｂを押す方向へ回転させると、取外し工具８と保護キャップ９０は供回りして回転し、保護キャップ９０の外側面に固着しているパテ１００を引き剥がすことができる。
【００５２】
この後、取外し工具８を下方へ引くと、第一の係合部８１Ａが突起９２の上面９２Ａと係合しているので保護キャップ９０を筒部材２から引き抜いて取外すことができる。
【００５３】
第３実施形態（図１１）
続いて第３実施形態について説明する。第３実施形態における第１実施形態との差異点は、保護キャップの外側面である拡張部４７の外周部に螺旋溝を形成したことである。尚、第１実施形態と構成が同じ箇所には同符号を付して詳細な説明は省略する。
【００５４】
図１１に示す第３実施形態では、保護キャップ９５の拡張部９６の外周部に螺旋溝９７を形成した。これにより保護キャップ９５をスプリンクラーヘッドＳＨの筒部２から取外す際に保護キャップ９５の拡張部９６の螺旋溝９７にパテ１００が固着していても、取外し工具８と保護キャップ９５を供回りさせることで螺旋溝９７の表面からパテ１００を引き剥がすことができる。また螺旋溝９７により、取外し工具８と保護キャップ９５を供回りさせると保護キャップ９５の螺旋溝９７の表面形状に固まったパテ１００側の螺旋溝１０１に沿って保護キャップ９５が回転しながら下方へ移動して保護キャップ９５をスプリンクラーヘッドＳＨの筒部２から取外すことができる。
【符号の説明】
【００５５】
１  本体  
２  筒部材  
３  カバープレートユニット  
４、９０、９５  保護キャップ  
５  感熱分解部  
６  デフレクター  
８  取外し工具
１１  ノズル  
４１  内筒  
４２  外筒  
４３  水抜き穴  
４４  保護キャップの把持部  
４５  舌状部  
４６  連結部  
４６Ｂ  連結部の底面（工具係止部）
４７、９６  拡張部  
８０  取外し工具の本体  
８１  爪  
８１Ａ  第一の係合部
８１Ｂ  第２の係合部
８２  斜面部（ガイド部）  
８３  取外し工具の把持部  
８６、９１  隔壁
８７  剥片収容部  
８８  ストッパー  
９７  螺旋溝  
ＳＨ  スプリンクラーヘッド  
【図１】
0005901067.tif 000002
【図２】
0005901067.tif 000003
【図３】
0005901067.tif 000004
【図４】
0005901067.tif 000005
【図５】
0005901067.tif 000006
【図６】
0005901067.tif 000007
【図７】
0005901067.tif 000008
【図８】
0005901067.tif 000009
【図９】
0005901067.tif 000010
【図１０】
0005901067.tif 000011
【図１１】
0005901067.tif 000012
【図１２】
0005901067.tif 000013